(57)【要約】【課題】高度な安定性と耐荷重性を保証し、サイズと形状と重量の点で多様性に富んだ物体を収納・保管するために、最初に述べた種類のシェルフシステムを提供すること。【解決手段】前面２つの縦型支柱２間に少なくとも積載用ボードを固定するためのポケット状のトラバースが取り付けられ、前記積載用ボードが当該積載用ボードが持ち上がらないよう前記トラバースとこれを支持する縦型支柱２の間で圧着され、前記縦型支柱２が、下方へ向いた一対のフックを収容する網目状の開口部及び別の棚部品を収容する互いに離間しつつ網目状のカットを備えている前記シェルフシステムにおいて、結合用サポート２５に、当該フック２２と係合する挿入係合部１９及び／又はスタビライザープロファイルを固設するために前記縦型支柱２の前記スリット状のカットに取り付けられる、フック２２と係合する挿入係合部及び／又はスタビライザープロファイルを設けた。
2007532214.tif 000002
【特許請求の範囲】
【請求項１】
基本的に、四隅にＴ字型断面の縦型支柱（２）が設けられた、断面が長方形である少なくとも１つの棚から成る物品の収納用及び保管用のシェルフシステムであって、前面２つの縦型支柱（２）間に少なくとも積載用ボード（５）を固定するためのポケット状のトラバース（１５）が取り付けられ、前記積載用ボードが当該積載用ボードが持ち上がらないよう前記トラバースとこれを支持する縦型支柱（２）の間で圧着され、前記縦型支柱（２）が、下方へ向いた一対のフック（１８）を収容する網目状の開口部（１０）及び別の棚部品を収容する互いに離間しつつ網目状のカットを備えている前記シェルフシステムにおいて、
結合用サポート（２５）に、当該フック（２２）と係合する挿入係合部（１９）及び／又はスタビライザープロファイル（２８）を固設するために前記縦型支柱（２）の前記スリット状のカットに取り付けられる、フック（２２）と係合する挿入係合部及び／又はスタビライザープロファイル（２８）と、
ベース（２，３７）に連結させるための、端部が前記縦型支柱（２）に挿入可能且つ固定可能なアングルプレート（３８）と、
複数の前記棚（１）の連結及び／又はベース（３７）との連結のための互いに連結可能な一対のスペーサブラケット（３４）と、
吊り型ファイル及びこれと同類物の折返しレール（３１）のための、前記トラバース（１５）へ取付可能な懸吊部材（３０）とを設けたことを特徴とするシェルフシステム。
【請求項２】
一方のレッグ（２０）に少なくとも一対のフック（２２）を形成するとともに、もう一方のレッグ（２１）に少なくとも１つの打ち抜き（２４）を設けて、前記挿入係合部（１９）及び前記スタビライザープロファイル（２８）を、左へ向いたＴ字型、右へ向いたＴ字型又は十字型の断面として形成したことを特徴とする請求項１記載のシェルフシステム。
【請求項３】
前記挿入係合部（１９）及び前記スタビライザープロファイル（２８）における前記フック（２２）を、垂直方向及び／又は水平方向に網目状に整列させたことを特徴とする請求項１又は２記載のシェルフシステム。
【請求項４】
前記挿入係合部（１９）及び前記スタビライザープロファイル（２８）の前記レッグ（２１，２２）の両長手側面それぞれにエッジ（２６）を設けたことを特徴とする請求項１〜３の何れか１項に記載のシェルフシステム。
【請求項５】
前記挿入係合部（１９）及び前記スタビライザープロファイル（２８）の前記レッグ（２１，２２）に、該レッグが前記縦型支柱（２）及び／又は結合サポート（２５）に係合する、付加係止手段（２７）を設けたことを特徴とする請求項１〜４の何れか１項に記載のシェルフシステム。
【請求項６】
前記アングルプレート（３８）を、ベースプレート（３９）及び該ベースプレートから垂直に突設させたブリッジ（４０）で構成するとともに、該ブリッジ（４０）のＴ字型中空断面である自由端に前記縦型支柱（２）を挿入可能且つねじ締結可能に形成したことを特徴とする請求項１記載のシェルフシステム。
【請求項７】
前記アングルプレート（３８）の前記ベースプレート（３９）を、室内の床面又は壁面に設置可能に形成したことを特徴とする請求項６記載のシェルフシステム。
【請求項８】
それぞれ少なくとも１つの前記打ち抜き（２４）が形成された前記スペーサブラケット（３４）及び前記レッグ（３５，３６）の長さを好ましくは互いに相違させるとともに、或るスペーサブラケット（３４）の前記打ち抜き（２４）と他のスペーサブラケット（３４）の打ち抜きとをそれぞれ同寸法に形成したことを特徴とする請求項１記載のシェルフシステム。
【請求項９】
前記打ち抜き（２４）をドリル穴及び／又は長穴で形成したことを特徴とする請求項２又は８記載のシェルフシステム。
【請求項１０】
前記折返しレール（３１）のための前記懸吊部材（３０）を、前記折返しレール（３１）の一端を支持する少なくとも１つの突起（３２）を備えた金属プレートで形成したことを特徴とする請求項１記載のシェルフシステム。
【請求項１１】
前記懸吊部材（３０）の金属プレートの一端に、前記縦型支柱（２）への組付のために、片方に突出したブラケット（３３）を設けたことを特徴とする請求項１０記載のシェルフシステム。
【発明の詳細な説明】
【技術分野】
【０００１】
基本的に、四隅にＴ字型断面の縦型支柱が設けられた、断面が長方形である少なくとも１つの棚から成る物品の収納用及び保管用のシェルフシステムであって、前面２つの縦型支柱間に少なくとも積載用ボードを固定するためのトラバースが取り付けられ、前記積載用ボードが当該積載用ボードが持ち上がらないよう前記トラバースとこれを支持する縦型支柱の間で圧着され、前記縦型支柱が、下方へ向いた一対のフックを収容するパターン化された開口部及び別の棚部品を収容する互いに離間してパターン化されたスリット状のカットを備えている前記シェルフシステムに関する。
【背景技術】
【０００２】
縦型支柱、側面ガイドまたはトラバース、積載用ボードなどの個別構成部品を異なった種類の取付け部品で結合する多くの棚あるいはシェルフシステムが知られている。このような棚では通常、棚の隅に多くの縦型支柱があるが、特定の垂直の間隔に一個または複数の水平式で物体や瓦礫品を積載するためのボードが固定される。
このような棚またはシェルフシステムの不利な点は、例えば溶接とか接着のような結合法によって棚が分解できなくなったり、ユーザーの需要に対応できなくなることである。そのため、こうした棚またはシェルフシステムは高度な安定性を持つとしても、棚またはシェルフシステムに取付ける積載用ボードのサイズと数の点でバリエーションに制限がある。また、こうした棚またはシェルフシステムは固定式結合法によって必要となる場所を取る容量のために輸送も困難になる。
【０００３】
さらに、積載用ボード、縦型支柱、トラバースなどの個別構成部品を例えばさねはぎ状の結合部品で取り付けできる多くの棚用差込みシステムが知られている。たいていのシステムでは、積載用ボードはトラバースのブリッジやピンにただ載せるだけである。しかし、それではシェルフシステムが不安定になる。ネジとか特殊な結合要素で締め付ける棚またはシェルフシステムの場合には組み立てや解体時に手間がかかり、問題である。さらに、積載用ボードを取り付けるための複雑に構成された、したがって製造技術上難しい結合要素が必要となる。
【０００４】
特許文献１と特許文献２で周知のシェルフシステムは少なくとも一枚の棚で構成されるが、その棚にはそれぞれ二個の前面の縦型支柱の間に少なくとも積載用ボードを固定するためのポケットのようなトラバースを取り付けられる。縦型支柱にはトラバースに水平と垂直に間隔の付いた下向きのフックペア取り付け用の開口部が付いている。その際、積載用ボードが持ち上がらないように、積載用ボードの下向きのフロントサイド・ブラケットがトラバースとそれを支える縦型支柱の間に押し込んで取り付ける。このトラバースの受入れポケットには、積載用ボードの他に、受入れポケットによってのみ挟んで保持される引っ掛け用部品も使用できるようになっている。
【０００５】
これにより、ネジや溶接、あるいは同じような結合方式なしでも完全かつ簡単に組み立てられるシェルフシステムが実現されている。しかしながら、このシェルフシステムはすべてのアプリケーションに対して必ずしも十分な安定性を持っているわけではない。例えば非常に高かったり、広かったり、あるいは深い棚の場合、また棚に重い物体がおかれるような、特に工業用アプリケーションの場合には、棚は不安定になっていく。さらに、自動車のタイヤとか吊り型ファイルブック、またその他の特殊なホルダーやキャリア部品を必要とする大きくて重かったりかさばる物体などを保管する手段に欠く。つまり、保管する物体の多様性には限界がある。
【０００６】
【特許文献１】独国特許出願公開第１０１４８１７４号明細書
【特許文献２】独国特許出願公開第１０１６０３６４号明細書
【発明の開示】
【発明が解決しようとする課題】
【０００７】
そこで本発明の課題は、高度な安定性と耐荷重性を保証し、サイズと形状と重量の点で多様性に富んだ物体を収納・保管するために、最初に述べた種類のシェルフシステムを提供することにある。
【課題を解決するための手段】
【０００８】
本発明によれば、この課題を解決するため、
結合用サポートに、当該フックと係合する挿入係合部及び／又はスタビライザープロファイルを固設するために前記縦型支柱の前記スリット状のカットに取り付けられる、フックと係合する挿入係合部及び／又はスタビライザープロファイルと、
ベースに連結させるための、端部が前記縦型支柱に挿入可能且つ固定可能なアングルプレートと、
複数の前記棚の連結及び／又はベースとの連結のための互いに連結可能なスペーサブラケットと、
吊り型ファイル及びこれと同類物の揺動レールのための、前記トラバースへ取付可能な懸吊部材とを設けたことを特徴としている。
【０００９】
ベースとは、本発明では室内の床、壁、天井、また場合によっては棚の縦型支柱を意味する。
【発明の効果】
【００１０】
係合挿入部やスタビライザープロファイルのフックは簡単に縦型支柱のスリット状カットに懸けられ、例えば横型サポートまたは対角型サポートなどで結合される。こうしたサポートは棚の安定性にだけでなく、突っかいにもたれて保持される、大きくてかさばる物体の収納にも役立つ。係合挿入部やスタビライザープロファイルの構造によっては、隣接する同種の棚を二枚接続し、互いに安定させることにも役立つ。さらに係合挿入部やスタビライザープロファイルで結合されるサポートにより、例えば自動車業界の部品など工業用大規模倉庫で収納されるような重くて大きくてかさばる物体などを保管するために多様に構成できることになる。
【００１１】
端で縦型支柱に差し込め、そこの固定可能なアングルプレートは棚の縦型支柱用のスタンドフットとして役立つが、他方、例えば天井などのベースに設置された縦型支柱の上端で固定するためにも使用できる。その場合、棚は設置場所で固定して安定させ、倒れないように安全対策をする。
【００１２】
棚を安定させるための他の手段は、棚と別のスペーサブラケットの縦型支柱間にあるスペーサブラケットを隣接する棚の縦型支柱により、またこの両方のスペーサブラケットをネジで閉めて互いに結合することである。もう一つの可能性は、例えば壁などのベースに二番目のスペーサブラケットを固定することである。一対のスペーサブラケットにより、同等または希望により異なった間隔でも隣接する棚やその壁に対する間隔を実現できる。それにより、一対のスペーサブラケットは安定機能と共に法外な荷重にも耐える棚用の取付け機能も満たす。
【００１３】
折返しレール用、特に吊り型のファイルブック、マップ、袋など事務や資料保管分野における吊り方レジストリー用の懸垂部品により、保管の多様性とシェルフシステム用使用目的が非常に大きくなる。折返しレール用の懸垂部品は袋状のトラバースに簡単に差し込め、その中でしっかりと保持される。
【００１４】
網目状の開口部やカット、スリットまたはスリット状カットの付いた縦型支柱にある係合挿入部、スタビライザープロファイル、アングルプレート、また互いに結合可能なスペーサブラケットを、網目状に縦型支柱に取り付けできるトラバースで取り付けて固定することにより、安定して耐荷重性を持ちながらも多様に使用できる複雑なシェルフシステムが出来上がる。さらにこうしたすべての部品はそれぞれ単品でできていて、ダイスで切ったり曲げたりするだけなので、単純かつコスト安に製造可能である。
【００１５】
本発明をさらに構成する意味で、係合挿入部やスタビライザープロファイルをＴ字型の左または右方向あるいは円形の金属プロファイルにするが、一つのレッグに少なくとも一対のフックを形作り、もう一つのレッグには少なくとも打ち抜きを一個付ける。
【００１６】
左または右方向の係合挿入部やスタビライザープロファイルは、ある一つの棚または隣接した棚に追加のサポートを取り付けるのに役立つ。係合挿入部やスタビライザープロファイルのフック、優先的には少なくともフックペアが付いているレッグは、それに対応する縦型支柱のスリットに簡単に掛けられる。もう一つのレッグは縦型支柱から飛び出ており、サポートを受け入れて固定するためである。十字型金属プロファイルとして構成されているモジュールは、隣接する棚と結合するためにも利用できる。 均一のレッグは、先に記述したように、縦型支柱に取り付けられ、交差するレッグの二個の残りのレッグ部には追加のサポートが固定される。そのため、例えば隣接する棚の縦型支柱を一個省くことができる。その棚の追加のサポートを係合挿入部やスタビライザープロファイルと結合できるからである。
【００１７】
さらに係合挿入部やスタビライザープロファイルのフックは、網目状に垂直または水平の方向に互いに配列されている。フックまたはフックペアの網目状の向きは縦型支柱の網目状に配列されたスリットに対応しており、係合挿入部とスタビライザープロファイルでフックを垂直または水平の方向に配列できるようになっている。
【００１８】
係合挿入部またはスタビライザープロファイル自体が安定し、受け入れるサポートに十分な耐荷重性を保証するために、係合挿入部とスタビライザープロファイルのレッグの縦型支柱はそれぞれエッジを持ち、そのためレッグは断面でＵ字型プロファイルを形成し、サポートも縦型支柱も抱えることになる。
【００１９】
さらに、係合挿入部とスタビライザープロファイルのレッグが縦型支柱や結合サポートに食い込むように追加の係止手段を持つようにできる。
【００２０】
このような追加の係止手段は節、補強盛り、溝、隆起、掘り下げなどで、縦型支柱や結合用サポートでの対応する係止手段受け部品にきちんとはまるようになっている。こうした係止手段はシェルフシステムをさらに安定させる。
【００２１】
本発明に即してシェルフシステムの利点をさらに増やせるのは、アングルプレートをベースプレートと、そこから鉛直に延びて、Ｔ字型断面の縦型支柱の開いた端の中空プロファイルに差し込んでねじ込みできるブリッジで構成することである。その場合、この直立のブリッジを、Ｔ字型プロファイルの梁でできる空洞に差し込む。このブリッジには少なくとも一つの打ち抜きが付いていて、対向する縦側には同じように網目状の打ち抜きがある縦型支柱にネジで固定できるようになっている。
【００２２】
さらにアングルプレートのベースプレートは、棚を局所的に固定するために、室内の床壁や天井の壁で結合できる。
【００２３】
本発明の意味での解決策ではさらにスペーサブラケットに異なった長さのレッグが付いているが、それぞれ少なくとも一個の打ち抜きがある。一つのスペーサブラケットの打ち抜きは他のスペーサブラケットの穴と一致する。スペーサブラケットのレッグ長さの相違により、スペーサブラケットはその互いに一致する網目状の打ち抜きにより異なった仕方で、局所的な状況に応じて、互いにネジで留めることができるので、互いの棚や例えば室内の壁などに対してベースをバリアブルに調節できる。その場合優先的に打ち抜きはドリル加工穴やスロットで構成される。
【００２４】
折返しレール用懸垂部品を実現するには、折返しレールの一端を受け入れるために少なくとも一個の突起を持つ金属プレートで構成する。金属プレートから出ている突起の数は折返しレールの種類に依存する。例えば折返しレールが一つか二つのレーンを持ち、懸垂部品での突起の数と形を決定する断面形状を持つことがある。折返しレールの空いた端を金属プレートに架かるまで、対応する懸垂部品での突起にただ差し込む。
【００２５】
折返しレール用懸垂部品を安定させるには、懸垂部品の金属プレートの側面の端に、縦型支柱に寄り掛かるために側面に出っ張っるブラケットを作る。
【００２６】
シェルフシステムを特定の網目状に即して構成し、棚の幅、高さ、奥行き、またトラバースや他の固定部品のフックペア、打ち抜き、係止手段、それに対応する受け入れ縦型支柱の開口部、打ち抜き、スリット状のカットを決め、全体として互いに合わせる。
【００２７】
当然のことだが、上記並びに下記の特徴は、本発明の枠組みから離れることなく、それぞれ記述した組合せだけでなく、それ以外の組合せでも単独でも使用可能である。
【発明を実施するための最良の形態】
【００２８】
次の説明では、本発明の基礎になっている考え方を図面による詳細例を基により詳しく記述する。
【００２９】
図１はシェルフシステムの一枚の棚を示す。この棚は平面図では四角形で、完全に金属製の材料からなっている。棚１のそれぞれの角には下端にレッグ３が付いた垂直の縦型支柱２がある。後方の二つの縦型支柱２は、互いに交差して対角線上に走る二本のサポート４で結合されて、棚１に縦方向の安定性を与えている。
【００３０】
さらに、縦型支柱２のそれぞれ前面にある一対は多くの水平に間隔を持って並んだ積載用ボード５によって結合され、あらゆる種類のここには表示されていない物体を収納できる。上方の積載用ボード５はルーフボードになっていて、下の積載用ボード５は床からある一定の間隔を保ちながらボトムボードになっている。
【００３１】
図２から図５までは、縦型支柱の図１に即したエリアＩＩを拡大した図である。縦型支柱のフロントサイドには図２に即して互いに間隔を持ち、スリット７となっている一対のカット６がある。スリット７にここで表示はしていないが、例えば上張り金属とか特定の保管物体用ホールダーなどの引っ掛け部品を取り付けることができる。また、互いに間隔を持つ打ち抜き８がある。図４に即して縦型支柱の裏面には、縦型支柱２の前面で打ち抜き８に対して一列に並ぶドリル加工穴９が付いている。この打ち抜き８とドリル穴９は任意の部品をネジで固定したり、縦型支柱を壁に取り付けるためである。
【００３２】
また、サイドパネルにある縦型支柱２には、互いに間隔を持つ開口部１０があり、これは本来、材料軽減によって縦型支柱２の重量を減らすためであるが、これから記述する部品を受け入れるためでもある。スリット７、打ち抜き８、ドリル穴９、開口部１０は縦型支柱２で網目状に配列されている。
【００３３】
さらに、図４と図５で理解できるように、縦型支柱２は薄巻き材料を圧延した空洞プロファイルでできていて、完成した縦型支柱の裏側には裂け目１１ができている。縦型支柱２は図５に示すように断面がＴ字型となっている。
【００３４】
図６は積載用ボードの遠近法による側面を、図７はその前面を示す。その縦方向の側面にはそれぞれ下に突き出た縦型のサイドパネル１２が取り付けてある。縦型のサイドパネル１２の下の空いている端には、図７で示すように、溝型のエッジ１３が付いている。
【００３５】
積載用ボードのフロントサイドにはそれぞれ下に突き出たフロントサイド・ブラケット１４があるが、これは棚１の縦型支柱２とトラバース１５の間のフロントサイドを挟んで固定するためである。
【００３６】
図９から図１１までは、棚１のフロントサイドにある二本の間隔付きの縦型支柱２の間に差し込まれる棚１のためのトラバース１５の様々な側面を示している。
【００３７】
トラバース１５には、積載用ボード５を差し込んだ状態でその下側に置く上部水平型積載用エッジ１７を持つ基本モジュール１６が付いている。
【００３８】
トラバース１５の周縁断面にはそれぞれ、図１１に示されるように、水平型と垂直型の互いに間隔の付いたフックペア１８がある。フックペア１８は図１１に示されるように、棚１のトラバース１５と縦型支柱２の間の開口部１０に引っ掛かる。それにより、トラバース１５と縦型支柱２の間の積載用ボード５のフロントサイド・ブラケット１５が挟まる。
【００３９】
図１２に示す係合挿入部１９は二翼構造になっている。つまりその垂直型レッグ２０から左右にそれぞれ水平型レッグ２１が分岐している。図１３と１４で前面と側面を示した係合挿入部１９は一翼型である。そこで、係合挿入部１９は交差形か、あるいは左ないし右方向の金属プロファイルとして構成されている。図１３では右方向の係合挿入部１９を示す。左方向の係合挿入部１９は右方向の係合挿入部１９と左右逆の鏡像に対応する。その垂直型レッグ２０にフックペア２２がブレイク２３で形成されている。これはフックペア２２の中で、図１２に示すように互いに一列に並ぶか、図１３に示すように互いに配置換えする形で構成できる。図１５で示すように、ペアで縦型支柱２のカット６の互いに間隔を持つペアに掛かるからである。その場合、フック２２の配列はカット６の網目状の構造に対応する。
【００４０】
結合用サポート２５を受け入れるために、係合挿入部１９のレッグ２０と２１の縦サイドにはエッジ２６がある。係合挿入部１９の水平型レッグ２１とレッグ２１には多くの円型ドリル穴または縦方向の打ち抜き２４があり、これは例えば係合挿入部１９のネジ結合によって結合用サポート２５を固定するためである。さらにレッグ２０と２１には節のような係止手段２７が付いている。これは係合挿入部１９の安定性を確保するために、結合用サポート２５または縦型支柱にある、ここでは示されていない対応部品に引っ掛かるようになっている。
【００４１】
図１６と図１７で示すように、スタビライザープロファイル２８は係合挿入部１９と似たような構成になっている。アングルプロファイルでＵ字型の断面である。スタビライザープロファイル２８は角のエリアに、縦型支柱２の打ち抜き８でカバーする半円型のカット２９を持っている。ここでは表示されていないネジと特別に角取りをしたアンダーレッグ・ディスクにより、フックペア２２を縦型支柱の該当するカット６に引っ掛けて、スタビライザープロファイル２８を追加として縦型支柱２でネジ込みできる。
【００４２】
図１８と図２０は、オフィス用吊り型ファイルブックや同じようなもののための二つのレーンを持つ折返しレール３１用の懸垂部品３０を示している。折返しレール３１は図１８と図２０で点線で示される。懸垂部品３０はトラバース１５に差し込めるが、トラバース自体は、先述の図２０で示したように、縦型支柱２に差し込まれている。
【００４３】
さらに折返しレール３１用の懸垂部品３０は金属プレートでできていて、折返しレール３１の一端を受け入れるために、金属プレートで折り曲げた突起３２を二個持っている。突起３２が斜めに配置されているのは折返しレール３１の形状による。さらに懸垂部品３０の金属プレートの側面の端に、互いに間隔を持つ二個のブラケットに掛けるために、側面で突起したブラケット３５が付いている。
【００４４】
図２１から図２３までは、二個のレッグ３５と３６が直角に流れ、異なった長さを持つスペーサブラケット３４を示す。二つのこうしたスペーサブラケット３４は、図２４から図２６で示されているように、例えばネジやナットで互いに結合できる。互いに結合されている一対のスペーサブラケット３４は、多くの棚１を結合したり、あるいは例えば室内にある壁のようなベース３７と結合するためである。そのためにはスペーサブラケット３４のレッグ３５と３６に、縦型支柱２の打ち抜き８に網状に構成された円形で縦長の打ち抜き２４が取り付けてある。スペーサブラケット３４の打ち抜き２４は他のスペーサブラケット３４の打ち抜きと合うようになっている。
【００４５】
図２４から図２６までは、ベース３７や棚１と結合可能なスペーサブラケット３４のペアを使用する幾つかの方法を示している。その際、異なった長さのレッグ３５と３６は互いに結合可能である。
【００４６】
図２７から図２９までは棚１の縦型支柱２に差し込み可能なアングルプレート３８を示す。これはその末端で縦型支柱２に差し込まれて固定され、棚１を局所的にしっかり安定させるために、例えば室内の床や屋根などのベース３７と結合するためである。
【００４７】
アングルプレート３８はベースプレート３９と、そこから鉛直に延びたブリッジ４０で構成されているので、ブリッジ４０はベースプレート３９に対して直角に位置する。ブリッジ４０は、ブリッジ４０を縦型支柱２でネジ締めで固定するために、縦型支柱２にある開口部８と一致する縦長の打ち抜き２４を持っている。さらに、ブリッジ４０の下方でベースプレート３９に隣接するセクションが先細りになっている。アングルプレート３８のベースプレート３９にはその四つのエッジエリアに、長い穴で室内の床や天井と結合するための四個のドリル穴４１が付いている。
【００４８】
こうしたアングルプレート３８二個を対向型に差し込み、そのベースプレート３９がほとんど重なるようにし、間隙を作ってその直角に立てたブリッジ４０が互いに向くようにする。これは直立のブリッジ４０の下の先細りのセクションによって可能となる。直立のブリッジ４０が縦型支柱２に突き出ているので、例えば二本の隣接して設置されている縦型支柱２を互いに結合することができる。その場合、上下に取り付けられたベースプレート３９をその長いドリル穴４１を通して室内の床とか天井とネジで取り付けることができる。さらにち直立のブリッジ４０にある縦長の打ち抜き２４は縦型支柱２に打ち抜き８とネジで取り付けることができる。
【図面の簡単な説明】
【００４９】
【図１】本発明に係るシェルフシステムの基本形における棚の透視図である。
【図２】図１の棚の縦型支柱の部分ＩＩの前面図である。
【図３】図２の縦型支柱の側面図である。
【図４】図２の縦型支柱の裏面図である。
【図５】図４の縦型支柱のＶ−Ｖ線に沿った断面図である。
【図６】図１の棚の縦型支柱の積載用ボードの側面の斜視図である。
【図７】図６の積載用ボードの前面の斜視図である。
【図８】図１の棚用のトラバースの側面図である。
【図９】積載用ボード付きの図８のトラバースの側面図である。
【図１０】縦型支柱に固定された積載用ボード付きの図９のトラバースの側面図である。
【図１１】図８のトラバースの前面図である。
【図１２】最初の仕様形態における係合挿入部の前面図である。
【図１３】別の仕様形態における係合挿入部の前面図である。
【図１４】図１３の係合挿入部の側面図である。
【図１５】縦型支柱と固定されたサポート付きの図１３の係合挿入部の前面図である。
【図１６】スタビライザープロファイルの前面図である。
【図１７】図１６のスタビライザープロファイルの遠近法による部分図である。
【図１８】折返しレール用懸垂部品の前面図である。
【図１９】図１８の折返しレール用懸垂部品の側面図である。
【図２０】取り付けた折返しレール付きの図１９の懸垂部品付きトラバースの側面図である。
【図２１】スペーサブラケットの前面図である。
【図２２】図２１のスペーサブラケットの側面図である。
【図２３】縦型支柱に固定された図２１のスペーサブラケットの上面図である。
【図２４】互いに結合可能な一対のスペーサブラケットの使用可能性を示す図である。
【図２５】互いに結合可能な一対のスペーサブラケットの使用可能性を示す図である。
【図２６】互いに結合可能な一対のスペーサブラケットの使用可能性を示す図である。
【図２７】アングルプレートの側面図である。
【図２８】図２７のアングルプレートの上面図である。
【図２９】縦型支柱に差し込んだアングルプレートの前面図である。
【図３０】二本の縦型支柱と結合し、互いに並ぶアングルプレート二個の上面図である。
【符号の説明】
【００５０】
１          棚
２          縦型支柱
３          レッグ
４          サポート
５          積載用ボード
６          カット
７          スリット
８          打ち抜き
９          ドリル穴
１０        開口部
１１        裂け目
１２        縦型サイドパネル
１３        エッジ
１４        フロントサイド・ブラケット
１５        トラバース
１６        基本モジュール
１７        積載用エッジ
１８        フック
１９        係合挿入部
２０        レッグ
２１        レッグ
２２        フック
２３        ブレイク
２４        打ち抜き
２５        結合用サポート
２６        エッジ
２７        係止手段
２８        スタビライザープロファイル
２９        カット
３０        懸垂部品
３１        折返しレール
３２        突起
３３        ブラケット
３４        スペーサブラケット
３５        レッグ
３６        レッグ
３７        ベース
３８        アングルプレート
３９        ベースプレート
４０        ブリッジ
４１        ドリル穴
【図１】
2007532214.tif 000003
【図２】
2007532214.tif 000004
【図３】
2007532214.tif 000005
【図４】
2007532214.tif 000006
【図５】
2007532214.tif 000007
【図６】
2007532214.tif 000008
【図７】
2007532214.tif 000009
【図８】
2007532214.tif 000010
【図９】
2007532214.tif 000011
【図１０】
2007532214.tif 000012
【図１１】
2007532214.tif 000013
【図１２】
2007532214.tif 000014
【図１３】
2007532214.tif 000015
【図１４】
2007532214.tif 000016
【図１５】
2007532214.tif 000017
【図１６】
2007532214.tif 000018
【図１７】
2007532214.tif 000019
【図１８】
2007532214.tif 000020
【図１９】
2007532214.tif 000021
【図２０】
2007532214.tif 000022
【図２１】
2007532214.tif 000023
【図２２】
2007532214.tif 000024
【図２３】
2007532214.tif 000025
【図２４】
2007532214.tif 000026
【図２５】
2007532214.tif 000027
【図２６】
2007532214.tif 000028
【図２７】
2007532214.tif 000029
【図２８】
2007532214.tif 000030
【図２９】
2007532214.tif 000031
【図３０】
2007532214.tif 000032
【手続補正書】
【提出日】平成17年4月29日(2005.4.29)
【手続補正１】
【補正対象書類名】特許請求の範囲
【補正対象項目名】請求項１
【補正方法】変更
【補正の内容】
【請求項１】
四隅にＴ字型断面の縦型支柱（２）が設けられた、断面が長方形である少なくとも１つの棚から成る物品の収納用及び保管用のシェルフシステムであって、前面２つの縦型支柱（２）間に少なくとも積載用ボード（５）を固定するためのポケット状のトラバース（１５）が取り付けられ、前記積載用ボードが当該積載用ボードが持ち上がらないよう前記トラバースとこれを支持する縦型支柱（２）の間で圧着され、前記縦型支柱（２）が、下方へ向いた一対のフック（１８）を収容する網目状の開口部（１０）及び別の棚部品を収容する互いに離間しつつ網目状のカットを備えている前記シェルフシステムにおいて、
結合用支持部材（２５）に、当該フック（２２）と係合する挿入係合部（１９）及び／又はスタビライザープロファイル（２８）を固設するために前記縦型支柱（２）の前記スリット状のカットに取り付けられる、フック（２２）と係合する挿入係合部及び／又はスタビライザープロファイル（２８）と、
ベース（２，３７）に連結させるための、端部が前記縦型支柱（２）に挿入可能且つ固定可能なアングルプレート（３８）と、
複数の前記棚（１）の連結及び／又はベース（３７）との連結のための互いに連結可能な一対のスペーサブラケット（３４）と、
吊り型ファイル及びこれと同類物の折返しレール（３１）のための、前記トラバース（１５）へ取付可能な懸吊部材（３０）とを設けたことを特徴とするシェルフシステム。
【手続補正２】
【補正対象書類名】明細書
【補正対象項目名】０００１
【補正方法】変更
【補正の内容】
【０００１】
四隅にＴ字型断面の縦型支柱が設けられた、断面が長方形である少なくとも１つの棚から成る物品の収納用及び保管用のシェルフシステムであって、前面２つの縦型支柱間に少なくとも積載用ボードを固定するためのトラバースが取り付けられ、前記積載用ボードが当該積載用ボードが持ち上がらないよう前記トラバースとこれを支持する縦型支柱の間で圧着され、前記縦型支柱が、下方へ向いた一対のフックを収容するパターン化された開口部及び別の棚部品を収容する互いに離間してパターン化されたスリット状のｊカットを備えている前記シェルフシステムに関する。
【手続補正３】
【補正対象書類名】明細書
【補正対象項目名】０００５
【補正方法】変更
【補正の内容】
【０００５】
これにより、ネジや溶接、あるいは同じような結合方式なしでも完全かつ簡単に組み立てられるシェルフシステムが実現されている。しかしながら、このシェルフシステムはすべてのアプリケーションに対して必ずしも十分な安定性を持っているわけではない。例えば非常に高かったり、広かったり、あるいは深い棚の場合、また棚に重い物体がおかれるような、特に工業用アプリケーションの場合には、棚は不安定になっていく。さらに、自動車のタイヤとか吊り型ファイルブック、またその他の特殊なホルダーやキャリア部品を必要とする大きくて重かったりかさばる物体などを保管する手段に欠く。つまり、保管する物体の多様性には限界がある。さらに特許文献３から、トラバースをＵ字型フレームにした棚が知られている。これに間隔を保ちながら多くの水平の縦型型サポートが差し込まれている。さらに、それぞれの縦型支柱の中間レッグの側面には、Ｕ字型フレームのトラバースの下方に向いたフックペアを受け入れるための網目状に構成された中抜きがある。
【手続補正４】
【補正対象書類名】明細書
【補正対象項目名】０００６
【補正方法】変更
【補正の内容】
【０００６】
【特許文献１】独国特許出願公開第１０１４８１７４号明細書
【特許文献２】独国特許出願公開第１０１６０３６４号明細書
【特許文献３】仏国特許出願公開第２７２５３５０号明細書
【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
四隅にＴ字型断面の縦型支柱（２）が設けられた、断面が長方形である少なくとも１つの棚から成る物品の収納用及び保管用のシェルフシステムであって、前面２つの縦型支柱（２）間に少なくとも積載用ボード（５）を固定するためのポケット状のトラバース（１５）が取り付けられ、前記積載用ボードが、当該積載用ボードが持ち上がらないよう前記トラバースとこれを支持する縦型支柱（２）の間で圧着され、前記縦型支柱（２）が、下方へ向いた一対のフック（１８）を収容する網目状の開口部（１０）及び別の棚部品を収容する互いに離間しつつ網目状のカットを備えている、前記シェルフシステムにおいて、
当該フック（２２）と係合する挿入係合部（１９）及び／又はスタビライザ部材（２８）を結合用サポート（２５）に固設するために前記縦型支柱（２）の前記スリット状のカットに取り付けられる、フック（２２）と係合する挿入係合部及び／又はスタビライザ部材（２８）と、
ベース（２，３７）に連結させるための、端部が前記縦型支柱（２）に挿入可能且つ固定可能なアングルプレート（３８）と、
複数の前記棚（１）の連結及び／又はベース（３７）との連結のための互いに連結可能な一対のスペーサブラケット（３４）と、
吊り型ファイル及びこれと同類物の折返しレール（３１）のための、前記トラバース（１５）へ取付可能な懸吊部材（３０）とを設けたことを特徴とするシェルフシステム。
【請求項２】
一方のレッグ（２０）に少なくとも一対のフック（２２）を形成するとともに、もう一方のレッグ（２１）に少なくとも１つの打ち抜き（２４）を設けて、前記挿入係合部（１９）及び前記スタビライザ部材（２８）を、左へ向いたＴ字型、右へ向いたＴ字型又は十字型の断面として形成したことを特徴とする請求項１記載のシェルフシステム。
【請求項３】
前記挿入係合部（１９）及び前記スタビライザ部材（２８）における前記フック（２２）を、垂直方向及び／又は水平方向に網目状に整列させたことを特徴とする請求項１又は２記載のシェルフシステム。
【請求項４】
前記挿入係合部（１９）及び前記スタビライザ部材（２８）の前記レッグ（２１，２２）の両長手側面それぞれにエッジ（２６）を設けたことを特徴とする請求項１〜３の何れか１項に記載のシェルフシステム。
【請求項５】
前記挿入係合部（１９）及び前記スタビライザ部材（２８）の前記レッグ（２１，２２）に、該レッグが前記縦型支柱（２）及び／又は結合サポート（２５）に係合する、付加係止手段（２７）を設けたことを特徴とする請求項１〜４の何れか１項に記載のシェルフシステム。
【請求項６】
前記アングルプレート（３８）を、ベースプレート（３９）及び該ベースプレートから垂直に突設させたブリッジ（４０）で構成するとともに、該ブリッジ（４０）のＴ字型中空断面である自由端に前記縦型支柱（２）を挿入可能且つねじ締結可能に形成したことを特徴とする請求項１記載のシェルフシステム。
【請求項７】
前記アングルプレート（３８）の前記ベースプレート（３９）を、室内の床面又は壁面に設置可能に形成したことを特徴とする請求項６記載のシェルフシステム。
【請求項８】
それぞれ少なくとも１つの前記打ち抜き（２４）が形成された前記スペーサブラケット（３４）及び前記レッグ（３５，３６）の長さを好ましくは互いに相違させるとともに、或るスペーサブラケット（３４）の前記打ち抜き（２４）と他のスペーサブラケット（３４）の打ち抜きとをそれぞれ同寸法に形成したことを特徴とする請求項１記載のシェルフシステム。
【請求項９】
前記打ち抜き（２４）をドリル穴及び／又は長穴で形成したことを特徴とする請求項２又は８記載のシェルフシステム。
【請求項１０】
前記折返しレール（３１）のための前記懸吊部材（３０）を、前記折返しレール（３１）の一端を支持する少なくとも１つの突起（３２）を備えた金属プレートで形成したことを特徴とする請求項１記載のシェルフシステム。
【請求項１１】
前記懸吊部材（３０）の金属プレートの一端に、前記縦型支柱（２）への組付のために、片方に突出したブラケット（３３）を設けたことを特徴とする請求項１０記載のシェルフシステム。
【手続補正２】
【補正対象書類名】明細書
【補正対象項目名】全文
【補正方法】変更
【補正の内容】
【書類名】明細書
【発明の名称】物体の収納・保管用シェルフシステム
【技術分野】
【０００１】
四隅にＴ字型断面の縦型支柱が設けられた、断面が長方形である少なくとも１つの棚から成る物品の収納用及び保管用のシェルフシステムであって、前面２つの縦型支柱間に少なくとも積載用ボードを固定するためのトラバースが取り付けられ、前記積載用ボードが、当該積載用ボードが持ち上がらないよう前記トラバースとこれを支持する縦型支柱の間で圧着され、前記縦型支柱が、下方へ向いた一対のフックを収容するパターン化された開口部及び別の棚部品を収容する互いに離間してパターン化されたスリット状のカットを備えている、前記シェルフシステムに関する。
【背景技術】
【０００２】
縦型支柱、側面ガイドまたはトラバース、積載用ボードなどの個別構成部品を異なった種類の取付け部品で結合する多くの棚あるいはシェルフシステムが知られている。このような棚では通常、棚の隅に多くの縦型支柱があるが、特定の垂直の間隔に一個または複数の水平式で物体や瓦礫品を積載するためのボードが固定される。
このような棚またはシェルフシステムの不利な点は、例えば溶接とか接着のような結合法によって棚が分解できなくなったり、ユーザーの需要に対応できなくなることである。そのため、こうした棚またはシェルフシステムは高度な安定性を持つとしても、棚またはシェルフシステムに取付ける積載用ボードのサイズと数の点でバリエーションに制限がある。また、こうした棚またはシェルフシステムは固定式結合法によって必要となる場所を取る容量のために輸送も困難になる。
【０００３】
さらに、積載用ボード、縦型支柱、トラバースなどの個別構成部品を例えばさねはぎ状の結合部品で取り付けできる多くの棚用差込みシステムが知られている。たいていのシステムでは、積載用ボードはトラバースのブリッジやピンにただ載せるだけである。しかし、それではシェルフシステムが不安定になる。ネジとか特殊な結合要素で締め付ける棚またはシェルフシステムの場合には組み立てや解体時に手間がかかり、問題である。さらに、積載用ボードを取り付けるための複雑に構成された、したがって製造技術上難しい結合要素が必要となる。
【０００４】
特許文献１と特許文献２で周知のシェルフシステムは少なくとも一枚の棚で構成されるが、その棚にはそれぞれ二個の前面の縦型支柱の間に少なくとも積載用ボードを固定するためのポケットのようなトラバースを取り付けられる。縦型支柱にはトラバースに水平と垂直に間隔の付いた下向きのフックペア取り付け用の開口部が付いている。その際、積載用ボードが持ち上がらないように、積載用ボードの下向きのフロントサイド・ブラケットがトラバースとそれを支える縦型支柱の間に押し込んで取り付ける。このトラバースの受入れポケットには、積載用ボードの他に、受入れポケットによってのみ挟んで保持される引っ掛け用部品も使用できるようになっている。
【０００５】
これにより、ネジや溶接、あるいは同じような結合方式なしでも完全かつ簡単に組み立てられるシェルフシステムが実現されている。しかしながら、このシェルフシステムはすべてのアプリケーションに対して必ずしも十分な安定性を持っているわけではない。例えば非常に高かったり、広かったり、あるいは深い棚の場合、また棚に重い物体がおかれるような、特に工業用アプリケーションの場合には、棚は不安定になっていく。さらに、自動車のタイヤとか吊り型ファイルブック、またその他の特殊なホルダーやキャリア部品を必要とする大きくて重かったりかさばる物体などを保管する手段に欠く。つまり、保管する物体の多様性には限界がある。さらに特許文献３から、トラバースをＵ字型フレームにした棚が知られている。これに間隔を保ちながら多くの水平の縦型サポートが差し込まれている。さらに、それぞれの縦型支柱の中間レッグの側面には、Ｕ字型フレームのトラバースの下方に向いたフックペアを受け入れるための網目状に構成された中抜きがある。
【０００６】
【特許文献１】独国特許出願公開第１０１４８１７４号明細書
【特許文献２】独国特許出願公開第１０１６０３６４号明細書
【特許文献３】仏国特許出願公開第２７２５３５０号明細書
【発明が解決しようとする課題】
【０００７】
そこで本発明の課題は、高度な安定性と耐荷重性を保証し、サイズと形状と重量の点で多様性に富んだ物体を収納・保管するために、最初に述べた種類のシェルフシステムを提供することにある。
【課題を解決するための手段】
【０００８】
本発明によれば、この課題を解決するため、
当該フックと係合する挿入係合部及び／又はスタビライザ部材を結合用サポートに固設するために前記縦型支柱の前記スリット状のカットに取り付けられる、フックと係合する挿入係合部及び／又はスタビライザ部材と、
ベースに連結させるための、端部が前記縦型支柱に挿入可能且つ固定可能なアングルプレートと、
複数の前記棚の連結及び／又はベースとの連結のための互いに連結可能なスペーサブラケットと、
吊り型ファイル及びこれと同類物の揺動レールのための、前記トラバースへ取付可能な懸吊部材とを設けたことを特徴としている。
【０００９】
ベースとは、本発明では室内の床、壁、天井、また場合によっては棚の縦型支柱を意味する。
【発明の効果】
【００１０】
挿入係合部やスタビライザ部材のフックは簡単に縦型支柱のスリット状カットに懸けられ、例えば横型サポートまたは対角型サポートなどで結合される。こうしたサポートは棚の安定性にだけでなく、突っかいにもたれて保持される、大きくてかさばる物体の収納にも役立つ。挿入係合部やスタビライザ部材の構造によっては、隣接する同種の棚を二枚接続し、互いに安定させることにも役立つ。さらに挿入係合部やスタビライザ部材で結合されるサポートにより、例えば自動車業界の部品など工業用大規模倉庫で収納されるような重くて大きくてかさばる物体などを保管するために多様に構成できることになる。
【００１１】
端で縦型支柱に差し込め、この部位での固定可能なアングルプレートは棚の縦型支柱用のスタンドフットとして役立つが、他方、例えば天井などのベースに設置された縦型支柱の上端で固定するためにも使用できる。その場合、棚は設置場所で固定して安定させ、倒れないように安全対策をする。
【００１２】
棚を安定させるための他の手段は、棚と別のスペーサブラケットの縦型支柱間にあるスペーサブラケットを隣接する棚の縦型支柱により、またこの両方のスペーサブラケットをネジで締めて互いに結合することである。もう一つの可能性は、例えば壁などのベースに二番目のスペーサブラケットを固定することである。一対のスペーサブラケットにより、同等または希望により異なった間隔でも隣接する棚やその壁に対する間隔を実現できる。それにより、一対のスペーサブラケットは安定機能と共に法外な荷重にも耐える棚用の取付け機能も満たす。
【００１３】
折返しレール用、特に吊り型のファイルブック、マップ、袋など事務や資料保管分野における吊り方レジストリー用の懸垂部品により、保管の多様性とシェルフシステム用の使用目的が非常に大きくなる。折返しレール用の懸垂部品は袋状のトラバースに簡単に差し込め、その中でしっかりと保持される。
【００１４】
網目状の開口部やカット、スリットまたはスリット状カットの付いた縦型支柱にある挿入係合部、スタビライザ部材、アングルプレート、また互いに結合可能なスペーサブラケットを、網目状に縦型支柱に取り付けできるトラバースで取り付けて固定することにより、安定して耐荷重性を持ちながらも多様に使用できる複雑なシェルフシステムが出来上がる。さらにこうしたすべての部品はそれぞれ単品でできていて、ダイスで切ったり曲げたりするだけなので、単純かつコスト安に製造可能である。
【００１５】
本発明をさらに構成する意味で、挿入係合部やスタビライザ部材をＴ字型の左または右方向あるいは円形の金属板にするが、一つのレッグに少なくとも一対のフックを形作り、もう一つのレッグには少なくとも打ち抜きを一個付ける。
【００１６】
左または右方向の挿入係合部やスタビライザ部材は、ある一つの棚または隣接した棚に追加のサポートを取り付けるのに役立つ。挿入係合部やスタビライザ部材のフック、優先的には少なくともフックペアが付いているレッグは、それに対応する縦型支柱のスリットに簡単に掛けられる。もう一つのレッグは縦型支柱から飛び出ており、サポートを受け入れて固定するためである。十字型金属板として構成されているモジュールは、隣接する棚と結合するためにも利用できる。 均一のレッグは、先に記述したように、縦型支柱に取り付けられ、交差するレッグの二個の残りのレッグ部には追加のサポートが固定される。そのため、例えば隣接する棚の縦型支柱を一個省くことができる。何故なら、その棚の追加のサポートを挿入係合部やスタビライザ部材と結合できるからである。
【００１７】
さらに挿入係合部やスタビライザ部材のフックは、網目状に垂直または水平の方向に互いに配列されている。フックまたはフックペアの網目状の向きは縦型支柱の網目状に配列されたスリットに対応しており、挿入係合部とスタビライザ部材でフックを垂直または水平の方向に配列できるようになっている。
【００１８】
挿入係合部またはスタビライザ部材自体が安定し、受け入れるサポートに十分な耐荷重性を保証するために、挿入係合部とスタビライザ部材のレッグの縦型支柱はそれぞれエッジを持ち、そのためレッグはＵ字型断面を形成し、サポートも縦型支柱も抱えることになる。
【００１９】
さらに、挿入係合部とスタビライザ部材のレッグが縦型支柱や結合サポートに食い込むように追加の係止手段を持つようにできる。
【００２０】
このような追加の係止手段は節、補強盛り、溝、隆起、掘り下げなどで、縦型支柱や結合用サポートでの対応する係止手段受け部品にきちんとはまるようになっている。こうした係止手段はシェルフシステムをさらに安定させる。
【００２１】
本発明に即してシェルフシステムの利点をさらに増やせるのは、アングルプレートをベースプレートと、そこから鉛直に延びて、Ｔ字型断面の縦型支柱の開いた端の中空断面部に差し込んでねじ込みできるブリッジで構成することである。その場合、この直立のブリッジを、Ｔ字型断面の梁でできる空洞に差し込む。このブリッジには少なくとも一つの打ち抜きが付いていて、対向する縦側には同じように網目状の打ち抜きがある縦型支柱にネジで固定できるようになっている。
【００２２】
さらにアングルプレートのベースプレートは、棚を局所的に固定するために、室内の床壁や天井の壁で結合できる。
【００２３】
本発明の意味での解決策ではさらにスペーサブラケットに異なった長さのレッグが付いているが、それぞれ少なくとも一個の打ち抜きがある。一つのスペーサブラケットの打ち抜きは他のスペーサブラケットの穴と一致する。スペーサブラケットのレッグ長さの相違により、スペーサブラケットはその互いに一致する網目状の打ち抜きにより異なった仕方で、局所的な状況に応じて、互いにネジで留めることができるので、互いの棚や例えば室内の壁などに対してベースを可変に調節できる。その場合優先的に打ち抜きはドリル加工穴やスロットで構成される。
【００２４】
折返しレール用懸垂部品を実現するには、折返しレールの一端を受け入れるために少なくとも一個の突起を持つ金属プレートで構成する。金属プレートから出ている突起の数は折返しレールの種類に依存する。例えば折返しレールが一つか二つのレーンを持ち、懸垂部品での突起の数と形を決定する断面形状を持つことがある。折返しレールの空いた端を金属プレートに架かるまで、対応する懸垂部品での突起にただ差し込む。
【００２５】
折返しレール用懸垂部品を安定させるには、懸垂部品の金属プレートの側面の端に、縦型支柱に寄り掛かるために側面に出っ張っるブラケットを作る。
【００２６】
シェルフシステムを特定の網目状に即して構成し、棚の幅、高さ、奥行き、またトラバースや他の固定部品のフックペア、打ち抜き、係止手段、それに対応する受け入れ縦型支柱の開口部、打ち抜き、スリット状のカットを決め、全体として互いに合わせる。
【００２７】
当然のことだが、上記並びに下記の特徴は、本発明の枠組みから離れることなく、それぞれ記述した組合せだけでなく、それ以外の組合せでも単独でも使用可能である。
【発明を実施するための最良の形態】
【００２８】
次の説明では、本発明の基礎になっている考え方を図面による詳細例を基により詳しく記述する。
【００２９】
図１はシェルフシステムの一つの棚を示す。この棚は平面図では四角形で、完全に金属製の材料からなっている。棚１のそれぞれの角には下端にレッグ３が付いた垂直の縦型支柱２がある。後方の二つの縦型支柱２は、互いに交差して対角線上に走る二本のサポート４で結合されて、棚１に縦方向の安定性を与えている。
【００３０】
さらに、縦型支柱２のそれぞれ前面にある一対は多くの水平に間隔を持って並んだ積載用ボード５によって結合され、あらゆる種類のここには表示されていない物体を収納できる。上方の積載用ボード５はルーフボードになっていて、下の積載用ボード５は床からある一定の間隔を保ちながらボトムボードになっている。
【００３１】
図２から図５までは、縦型支柱の図１に即したエリアＩＩを拡大した図である。縦型支柱のフロントサイドには図２に即して互いに間隔を持ち、スリット７となっている一対のカット６がある。スリット７にここで表示はしていないが、例えば上張り金属とか特定の保管物体用ホールダーなどの引っ掛け部品を取り付けることができる。また、互いに間隔を持つ打ち抜き８がある。図４に即して縦型支柱の裏面には、縦型支柱２の前面で打ち抜き８に対して一列に並ぶドリル加工穴９が付いている。この打ち抜き８とドリル穴９は任意の部品をネジで固定したり、縦型支柱を壁に取り付けるためである。
【００３２】
また、サイドパネルにある縦型支柱２には、互いに間隔を持つ開口部１０があり、これは本来、材料軽減によって縦型支柱２の重量を減らすためであるが、これから記述する部品を受け入れるためでもある。スリット７、打ち抜き８、ドリル穴９、開口部１０は縦型支柱２で網目状に配列されている。
【００３３】
さらに、図４と図５で理解できるように、縦型支柱２は薄巻き材料を圧延した中空部材となっており、完成した縦型支柱の裏側には隙間１１ができている。縦型支柱２は図５に示すように断面がＴ字型となっている。
【００３４】
図６は積載用ボードの遠近法による側面を、図７はその前面を示す。その縦方向の側面にはそれぞれ下に突き出た縦型のサイドパネル１２が取り付けてある。縦型のサイドパネル１２の下の空いている端には、図７で示すように、溝型のエッジ１３が付いている。
【００３５】
積載用ボードのフロントサイドにはそれぞれ下に突き出たフロントサイド・ブラケット１４があるが、これは棚１の縦型支柱２とトラバース１５の間のフロントサイドを挟んで固定するためである。
【００３６】
図９から図１１までは、棚１のフロントサイドにある二本の縦型支柱２の間に差し込まれる棚１のためのトラバース１５の様々な側面を示している。
【００３７】
トラバース１５には、積載用ボード５を差し込んだ状態でその下側に位置する上部水平型積載用エッジ１７を持つ本体部１６が付いている。
【００３８】
トラバース１５の周縁断面にはそれぞれ、図１１に示されるように、水平型と垂直型の互いに間隔の付いたフックペア１８がある。フックペア１８は図１１に示されるように、棚１のトラバース１５と縦型支柱２の間の開口部１０に引っ掛かる。それにより、トラバース１５と縦型支柱２の間の積載用ボード５のフロントサイド・ブラケット１４が挟まる。
【００３９】
図１２に示す挿入係合部１９は二翼構造になっている。つまりその垂直型レッグ２０から左右にそれぞれ水平型レッグ２１が分岐している。図１３と１４で前面と側面を示した挿入係合部１９は一翼型である。そこで、挿入係合部１９は交差形か、あるいは左ないし右方向の金属板として構成されている。図１３では右方向の挿入係合部１９を示す。左方向の挿入係合部１９は右方向の挿入係合部１９と左右逆の鏡像に対応する。その垂直型レッグ２０にフックペア２２が貫通孔２３で形成されている。これはフックペア２２の中で、図１２に示すように互いに一列に並ぶか、図１３に示すように互いに配置換えする形で構成できる。図１５で示すように、ペアで縦型支柱２のカット６の互いに間隔を持つペアに掛かるからである。その場合、フック２２の配列はカット６の網目状の構造に対応する。
【００４０】
結合用サポート２５を受け入れるために、挿入係合部１９のレッグ２０，２１の縦サイドにはエッジ２６がある。挿入係合部１９の水平型レッグ２１とレッグ２０には多くの円型ドリル穴または縦方向の打ち抜き２４があり、これは例えば挿入係合部１９のネジ結合によって結合用サポート２５を固定するためである。さらにレッグ２０，２１には節のような係止手段２７が付いている。これは挿入係合部１９の安定性を確保するために、結合用サポート２５または縦型支柱にある、ここでは示されていない対応部品に引っ掛かるようになっている。
【００４１】
図１６と図１７で示すように、スタビライザ部材２８は挿入係合部１９と似たような構成になっており、屈曲部材でＵ字型の断面である。スタビライザ部材２８は角のエリアに、縦型支柱２の打ち抜き８でカバーする半円型の切欠き２９を持っている。ここでは表示されていないネジと特別に角取りをしたワッシャにより、フックペア２２を縦型支柱の該当するカット６に引っ掛けて、スタビライザ部材２８を追加として縦型支柱２でネジ込みできる。
【００４２】
図１８と図２０は、オフィス用吊り型ファイルブックや同じようなもののための二つのレーンを持つ折返しレール３１用の懸垂部品３０を示している。折返しレール３１は図１８と図２０で点線で示される。懸垂部品３０はトラバース１５に差し込めるが、トラバース自体は、図２０で示すように、縦型支柱２に差し込まれている。
【００４３】
さらに折返しレール３１用の懸垂部品３０は金属プレートでできていて、折返しレール３１の一端を受け入れるために、金属プレートで折り曲げた突起３２を二個持っている。突起３２が斜めに配置されているのは折返しレール３１の形状による。さらに懸垂部品３０の金属プレートの側面の端に、互いに間隔を持つ二個の縦型支柱２に掛けるために、側面で突起したブラケット３５が付いている。
【００４４】
図２１から図２３までは、二個のレッグ３５と３６が直角に延び、異なった長さを持つスペーサブラケット３４を示す。二つのこうしたスペーサブラケット３４は、図２４から図２６で示されているように、例えばネジやナットで互いに結合できる。互いに結合されている一対のスペーサブラケット３４は、多くの棚１を結合したり、あるいは例えば室内にある壁のようなベース３７と結合するためである。そのためにはスペーサブラケット３４のレッグ３５と３６に、縦型支柱２の打ち抜き８に網状に構成された円形で縦長の打ち抜き２４が取り付けてある。スペーサブラケット３４の打ち抜き２４は他のスペーサブラケット３４の打ち抜きと合うようになっている。
【００４５】
図２４から図２６までは、ベース３７や棚１と結合可能な一対のスペーサブラケット３４を使用する幾つかの方法を示している。その際、異なった長さのレッグ３５，３６は互いに結合可能である。
【００４６】
図２７から図２９までは棚１の縦型支柱２に差し込み可能なアングルプレート３８を示す。これはその末端で縦型支柱２に差し込まれて固定され、棚１を局所的にしっかり安定させるために、例えば室内の床や屋根などのベース３７と結合するためである。
【００４７】
アングルプレート３８はベースプレート３９と、そこから鉛直に延びたブリッジ４０で構成されているので、ブリッジ４０はベースプレート３９に対して直角に位置する。ブリッジ４０は、ブリッジ４０を縦型支柱２でネジ締めで固定するために、縦型支柱２にある開口部８と一致する縦長の打ち抜き２４を持っている。さらに、ブリッジ４０の下方でベースプレート３９に隣接するセクションが先細りになっている。アングルプレート３８のベースプレート３９にはその四つのエッジエリアに、長い穴で室内の床や天井と結合するための四個のドリル穴４１が付いている。
【００４８】
こうしたアングルプレート３８二個を対向型に差し込み、そのベースプレート３９がほとんど重なるようにし、間隙を作ってその直角に立てたブリッジ４０が互いに向くようにする。これは直立のブリッジ４０の下の先細りのセクションによって可能となる。直立のブリッジ４０が縦型支柱２に突き出ているので、例えば二本の隣接して設置されている縦型支柱２を互いに結合することができる。その場合、上下に取り付けられたベースプレート３９をその長いドリル穴４１を通して室内の床とか天井とネジで取り付けることができる。さらに直立のブリッジ４０にある縦長の打ち抜き２４は縦型支柱２に打ち抜き８とネジで取り付けることができる。
【図面の簡単な説明】
【００４９】
【図１】本発明に係るシェルフシステムの基本形における棚の透視図である。
【図２】図１の棚の縦型支柱の部分ＩＩの前面図である。
【図３】図２の縦型支柱の側面図である。
【図４】図２の縦型支柱の裏面図である。
【図５】図４の縦型支柱のＶ−Ｖ線に沿った断面図である。
【図６】図１の棚の縦型支柱の積載用ボードの側面の斜視図である。
【図７】図６の積載用ボードの前面の斜視図である。
【図８】図１の棚用のトラバースの側面図である。
【図９】積載用ボード付きの図８のトラバースの側面図である。
【図１０】縦型支柱に固定された積載用ボード付きの図９のトラバースの側面図である。
【図１１】図８のトラバースの前面図である。
【図１２】最初の仕様形態における挿入係合部の前面図である。
【図１３】別の仕様形態における挿入係合部の前面図である。
【図１４】図１３の挿入係合部の側面図である。
【図１５】縦型支柱と固定されたサポート付きの図１３の挿入係合部の前面図である。
【図１６】スタビライザ部材の前面図である。
【図１７】図１６のスタビライザ部材の遠近法による部分図である。
【図１８】折返しレール用懸垂部品の前面図である。
【図１９】図１８の折返しレール用懸垂部品の側面図である。
【図２０】取り付けた折返しレール付きの図１９の懸垂部品付きトラバースの側面図である。
【図２１】スペーサブラケットの前面図である。
【図２２】図２１のスペーサブラケットの側面図である。
【図２３】縦型支柱に固定された図２１のスペーサブラケットの上面図である。
【図２４】互いに結合可能な一対のスペーサブラケットの使用可能性を示す図である。
【図２５】互いに結合可能な一対のスペーサブラケットの使用可能性を示す図である。
【図２６】互いに結合可能な一対のスペーサブラケットの使用可能性を示す図である。
【図２７】アングルプレートの側面図である。
【図２８】図２７のアングルプレートの上面図である。
【図２９】縦型支柱に差し込んだアングルプレートの前面図である。
【図３０】二本の縦型支柱と結合し、互いに並ぶアングルプレート二個の上面図である。
【符号の説明】
【００５０】
１          棚
２          縦型支柱
３          レッグ
４          サポート
５          積載用ボード
６          カット
７          スリット
８          打ち抜き
９          ドリル穴
１０        開口部
１１        隙間
１２        縦型サイドパネル
１３        エッジ
１４        フロントサイド・ブラケット
１５        トラバース
１６        本体部
１７        積載用エッジ
１８        フック
１９        挿入係合部
２０        レッグ
２１        レッグ
２２        フック
２３        貫通孔
２４        打ち抜き
２５        結合用サポート
２６        エッジ
２７        係止手段
２８        スタビライザ部材
２９        切欠き
３０        懸垂部品
３１        折返しレール
３２        突起
３３        ブラケット
３４        スペーサブラケット
３５        レッグ
３６        レッグ
３７        ベース
３８        アングルプレート
３９        ベースプレート
４０        ブリッジ
４１        ドリル穴
【国際調査報告】
2007532214.tif 000033
2007532214.tif 000034
2007532214.tif 000035
2007532214.tif 000036